(57)【要約】【課題】  未使用時に作業の邪魔にならないように小型化してバケットに常設設置を可能にすると共に使用時に迅速且つ容易にバケットの上方に密閉した作業空間を形成できる高所作業車用バケットのテント装置を提供する。【解決手段】  バケット３１の開口部周縁上部の片側約半分に設置されるコ字状の収納ケース２と、左右の垂直部分の骨部に伸縮機構４１を有し、未使用時に収納ケース２内に収納され、使用時に収納ケース２から引き出して扇状に約１８０°展開し、左右の垂直部分の骨部を伸縮機構４１により伸ばすことで設置完了状態の骨組み状態が形成される複数のコ字状のフレーム３ａ〜３ｆと、未使用時に折り畳まれた状態で収納ケース内に収納され、使用時に複数のコ字状のフレーム３ａ〜３ｆと共に収納ケースから引き出され、設置完了状態でバケットの上方を覆いほぼ密閉した作業空間を形成する膜体１１と、を備える。【選択図】図２
2008239261.tif 000002
【特許請求の範囲】
【請求項１】
高所作業車の荷台に設置されている、起伏・旋回可能なブームの先端に設けられたバケットの上方を覆い、作業空間を形成する高所作業車用バケットのテント装置において、
前記バケットの開口部周縁上部の片側約半分に設置されるコ字状の収納ケースと、
左右の垂直部分の骨部に伸縮機構を有し、未使用時に左右の垂直部分の骨部を伸縮機構により縮めた状態で前記収納ケース内に収納され、使用時に前記収納ケースから引き出して扇状に展開し、左右の垂直部分の骨部を前記伸縮機構により伸ばすことで設置完了状態の骨組み状態が形成される複数のコ字状のフレームと、
前記複数のコ字状のフレームと予め支持固定され、未使用時に折り畳まれた状態で前記複数のコ字状のフレームと共に収納ケース内に収納され、使用時に前記複数のコ字状のフレームと共に前記収納ケースから引き出され、設置完了状態で前記複数のコ字状のフレームに支持されて前記バケットの上方を覆いほぼ密閉した作業空間を形成する膜体と、
を備えたことを特徴とする高所作業車用バケットのテント装置。
【請求項２】
前記収納ケースは、底部に、前記バケット周縁上部に固定する固定部材を備え、該固定部材により前記収納ケースを前記バケットの開口部周縁上部に設置することを特徴とする請求項１記載の高所作業車用バケットのテント装置。
【請求項３】
前記設置完了状態で、前記膜体側面の作業を行う前面側及び乗り降りを行う後面側は、左右及び下側に取り付けたファスナーにより開閉可能であることを特徴とする請求項１記載の高所作業車用バケットのテント装置。
【請求項４】
前記膜体側面の前面側及び後面側は、透明な材料で形成されたことを特徴とする請求項３記載の高所作業車用バケットのテント装置。
【発明の詳細な説明】
【技術分野】
【０００１】
本発明は、高所作業車におけるバケットの上方を覆い、ほぼ密閉した作業空間を形成するようにしたテント装置に関する。
【背景技術】
【０００２】
一般に、光ケーブル、メタルケーブル等の架空線を電柱間に架設したり補修する等の高所作業に使用される高所作業車には、昇降、旋回自在なブームの先端部に作業員が搭乗出来るバケットが設置されている。
【０００３】
上記のような高所作業車のバケット内に作業者が搭乗し、バケットを架空線に近接する位置で精密機器等を使用することにより、架空線の架設、補修等の高所作業を行うことが出来るものである。
【０００４】
ところで、上記のような構成のバケットでの高所作業では、バケット上部に屋根等が存在しない為、雨天時には作業者はレインウエア着用の上、精密機器使用時にはビニールシートを被っての作業を強いられ、非常に作業性が悪いものであると共に精密機器等を濡らさないように注意する必要があった。
【０００５】
このような問題を解決する為、バケット上方に設置して作業空間を形成する各種テント装置に関する技術が公開されている（例えば、特許文献１，２参照）
【特許文献１】特開２００１−３１３８０号公報
【特許文献２】特開２００５−３４３６６３号公報
【発明の開示】
【発明が解決しようとする課題】
【０００６】
しかしながら、このような従来のテント装置は、取り付けを必要とするバケット部に大掛かりな事前加工を必要とし、さらに使用しない時には大きな格納スペースを必要としたが、バケット内部は狭いため格納は不可能であり、作業車側にも適当な格納スペースは存在しない。したがって、テント装置を購入しても車両に準備しないまま現場に行き、突然の雨等に対して対応が出来ず、テント装置が活かせない場面が多々あった。また、テント装置の構造が複雑で設置作業が煩雑であるため即座に使用できず設置に時間が掛かった。これは不意の雨に対して効率を悪くする要因であり、作業員にとって設置は煩わしい作業で、実際に使用するには現実的ではなかった。
【０００７】
以上のような従来の技術では、設置に手間取り作業効率が悪くなるのは勿論、作業員が雨等に濡れて風邪をひいたり、高額な精密機器等が濡れて使用出来なくなったりするため改善が必要であった。
【０００８】
本発明は、このような問題を解決しようとするものであり、未使用時に作業の邪魔にならないように小型化してバケット部に常設設置を可能にすると共に使用時に迅速且つ容易にバケットの上方に密閉した作業空間を形成できる高所作業車用バケットのテント装置を提供することを目的とする。
【課題を解決するための手段】
【０００９】
本発明は、上記のような課題を解決する為に、以下のような手段を採用している。
請求項１に係る発明は、高所作業車の荷台に設置されている、起伏・旋回可能なブームの先端に設けられたバケットの上方を覆い、作業空間を形成する高所作業車用バケットのテント装置において、前記バケットの開口部周縁上部の片側約半分に設置されるコ字状の収納ケースと、左右の垂直部分の骨部に伸縮機構を有し、未使用時に左右の垂直部分の骨部を伸縮機構により縮めた状態で前記収納ケース内に収納され、使用時に前記収納ケースから引き出して扇状に展開し、左右の垂直部分の骨部を前記伸縮機構により伸ばすことで設置完了状態の骨組み状態が形成される複数のコ字状のフレームと、前記複数のコ字状のフレームと予め支持固定され、未使用時に折り畳まれた状態で前記複数のコ字状のフレームと共に収納ケース内に収納され、使用時に前記複数のコ字状のフレームと共に前記収納ケースから引き出され、設置完了状態で前記複数のコ字状のフレームに支持されて前記バケットの上方を覆いほぼ密閉した作業空間を形成する膜体と、を備えたことを特徴とする。
【００１０】
請求項２に係る発明は、前請求項1に記載のテント装置において、収納ケースは、底部に、前記バケット周縁上部に固定する固定部材を備え、該固定部材により前記収納ケースを前記バケットの開口部周縁上部に設置することを特徴とする。
【００１１】
請求項３に係る発明は、前請求項１に記載のテント装置において、前記設置完了状態で、前記膜体側面の作業を行う前面側及び乗り降りを行う後面側は、左右及び下側に取り付けたファスナーにより開閉可能であることを特徴とする。
【００１２】
請求項４に係る発明は、前請求項３に記載のテント装置において、前記膜体側面の前面側及び後面側は、透明な材料で形成されたことを特徴とする。
【発明の効果】
【００１３】
以上、説明したように、本発明のテント装置によれば、バケットの開口部周縁上部の片側約半分に設置されるコ字状の収納ケースにテント本体を収納したことにより、作業者の作業の邪魔にならないようにしてバケット部への常設設置を可能にした。バケット部へ常備したまま現場に移動可能なため、日々の車両への積み込み等の手間が無くなると共に積み忘れも防ぐことが出来る。
【００１４】
また使用時には、収納ケースから膜体が予め支持固定されているフレームの一つを引き起こすことで順次フレームが扇状に展開し、フレームの垂直部分を伸縮機構により伸ばすことだけでテントが設置完了となり、迅速且つ容易にバケットの上方に密閉した作業空間を形成できる。これによりフレームを展開後に膜体を被せる作業が不要である。バケットに乗り込んだ状態で骨部に膜体を被せるのは難しいため、この方式が特に有効である。また、格納時は、展開時の逆の操作で迅速且つ容易にテント本体を収納ケース内に収納できる。
【００１５】
テント装置をバケットの開口部周縁上部にワンタッチで固定設置可能としたことで、バケットに特別な加工の必要性が無く、また同寸法の他のバケットにも移設が簡単に可能である。
【００１６】
膜体の前後面側のシートはファスナーで開閉可能にしているため、ケーブル等のテント装置内部への取り込みや換気が可能であり、テント本体を設置した状態でもバケットへの乗り降りが容易である。膜体の前後面を透明シートで形成したことで、視界及び採光が確保されるため、作業に支障をきたさないと共に安全に作業が出来る。又、前後面シートを開放することにより、炎天時の日除け使用としても効果が期待出来る。本発明のテント装置は雨を防ぐ場合のみならず、雪や多少の風を防ぐ目的としても使用可能である。更に暖房も使用可能であり、気温の低い日の作業効率アップも期待できる。
【発明を実施するための最良の形態】
【００１７】
以下、本発明の実施の形態を、図１〜図９を参照して説明する。
【００１８】
図１は本発明の使用時の全体図及び高所作業車への設置状態を示す説明図、図２は設置完了状態でのフレームの骨組み状態及び膜体の装着状態を示した説明図、図３は収納ケースへの収納状態を示した説明図、図４は収納ケースのバケットへの取り付け状態を示した説明図、図５は側面から見た収納ケースのバケットへの取り付け状態を示した説明図、図６は収納ケースのバケットへの取り付け状態を示した一部断面説明図、図７は固定部におけるフレームの回動機構を示した説明図、図８はフレームの伸縮機構を示した説明図、図９は膜体側面の前面側及び後面側のファスナーの配置状態を示した説明図である。
【００１９】
図１（ｂ）に示すように、本発明によるテント装置１は高所作業車に昇降、旋回自在に設置されるアーム３３の先端部のバケット３１の上部に設置され、アームと一体に昇降、旋回可能なものであって、電柱間への光ケーブル、メタルケーブル等の架空線の架設、補修等の高所作業に使用されるものである。
【００２０】
図１（ａ）に示すように、テント装置１はバケット３１及び操作部３２の上部を覆うように設置される。操作部３２の反対側はバケット３１の周縁上部より外側に約３０cm張り出すようになっており、張り出した部分に着脱可能な作業用テーブルを設置して使用する。これにより、バケット３１と操作部３２に加えて作業テーブル上方空間部分もカバーされるので、風雨等を防いで作業をすることが出来る。
【００２１】
本発明のテント装置１は、図２（ａ）（ｂ）に示すように、複数のコ字状のフレーム３a〜３fと、設置完了状態でフレーム全体を覆う膜体１１で構成されるテント本体と、このテント本体を折り畳んで収納する収納ケース２とから構成される構造となっている。
【００２２】
図３（ａ）（ｂ）に示すように、収納ケース２は、樹脂製でコ字状を形成しており、上部には蓋２ａ，２ｂ，２cが設けられている。収納ケース２は、例えば奥行Ａ約７０ｃｍ、幅Ｂ約１１０ｃｍ、縦Ｃ・横Ｄ約８ｃｍ程度のサイズである。このコ字状の収納ケース２は、バケット３１の開口部周縁上部の片側約半分＋操作部３２の奥行に相当するサイズである。この収納ケース２内には、複数のコ字状のフレーム３a〜３fと、設置完了状態でフレーム全体を覆う膜体１１と、で構成されるテント本体が折り畳んで収納されている。
【００２３】
図３〜図５に示すように、収納ケース２の底部には、バケット３１の開口部周縁上部への取り付け用の固定部材を構成する固定フック６及びロック部７が設けられており、この固定フック６及びロック部７により、バケット３１の最上部の縁に設置固定させる。
【００２４】
具体的には図５〜図６に示すように、先ず収納ケース２をバケット３１の最上部の縁に載置し、スライドさせて固定フック６をバケット３１の縁に引っ掛け、その状態で固定ロック部７に備えてあるレバー８を９０°回転させて、バケット３１の縁に引っ掛けることで、収納ケース２のバケット３１の開口部周縁上部への設置固定が完了する。
【００２５】
このコ字状の収納ケース２は、バケット３１の開口部周縁の片側約半分のフランジ上部に設置固定される。また図６に示すように、収納ケース２のバケット３１への設置固定状態において、収納ケース２の内側は、バケット３１の開口部内側とほぼ面一になるよう構成してあることから、バケット３１内に収納ケースがはみ出すことがない。このような小型化した収納ケースの構成により、作業者の作業の邪魔にならないようにしてバケット３１への常設設置を可能にする。
【００２６】
次に、テント装置１のテント本体を構成する、複数のコ字状のフレーム３a〜３ｆと、設置完了状態でフレーム全体を覆う膜体１１について説明する。
【００２７】
説明を簡単にするため膜体１１を取り除いた、設置完了状態でのフレームの骨組み状態を示した説明図である図２（ａ）に示したように、複数のコ字状のフレーム３a〜３ｆの内、フレーム３ａ以外のフレーム３ｂ〜３ｆは左右の垂直部分の骨部に伸縮機構４１を有しており、伸縮機構４１により縮めた状態で、複数のコ字状のフレーム３a〜３ｆは、コ字状の収納ケース２内部に収納されるサイズに形成されている。
【００２８】
複数のコ字状のフレーム３ｂ〜３ｆは全て、伸縮機構４１により縮めた状態でフレーム３ａと共にコ字状の収納ケース２内部に収納されるサイズに形成されているが、その垂直部分及び水平部分の骨部のサイズは若干異なり、伸縮機構４１により縮めた状態で、フレーム３a・３ｆ、フレーム３ｂ・３ｅ、フレーム３ｃ・３ｄは同じサイズで、更にフレーム３a・３ｆ＞フレーム３ｂ・３ｅ＞フレーム３ｃ・３ｄのサイズになるように、垂直部分及び水平部分の骨部のサイズが形成されている。更に具体的には、複数のコ字状のフレーム３a〜３ｆを、伸縮機構４１により縮めた状態でコ字状の収納ケース２内部に、図３（ｂ）に示すようにコンパクトに収納できるようにするため、各コ字状のフレーム３a〜３ｆの垂直部分及び水平部分の骨部のサイズは、フレーム３a・３ｆの内側に、フレーム３ｂ・３ｅが入るように形成され、更にフレーム３ｂ・３ｅの内側に、フレーム３ｃ・３ｄが入るように形成されている。
【００２９】
複数のコ字状のフレーム３ｂ〜３ｆは、未使用時に、図３（ｂ）に示すように、左右の垂直部分の骨部に備えた伸縮機構４１により縮めた状態でフレーム３ａと共に収納ケース２内に収納され、使用時に、図２（ａ）に示すように、収納ケース２から引き出して扇状になるよう約１８０°に展開し、フレーム３ｂ〜３ｆの伸縮機構４１により左右垂直部分の骨部を引き伸ばすことで設置完了状態の骨組み状態が形成される。
【００３０】
次に、複数のコ字状のフレーム３a〜３ｆの左右垂直部分の両端部付け根部分の回動機構について説明する。
【００３１】
複数のコ字状のフレーム３a〜３ｆの左右垂直部分の両端部は、図２（ａ）に示すように、収納ケース２の両端部に設けられる固定部４に回動自在に軸支されており、したがって、フレーム３a〜３ｆは、固定部４を支点に回動し展開される。
【００３２】
図７（ａ）の斜視図に示すように、固定部４には、３列のスリットが設けられ、各スリット内には、２個１組のフレームが配置される。この３列のスリットに対し、配置されたフレームの左右垂直部分の両端部の根元付近を、固定し回動自在に軸支する回転軸５a，５bを構成するボルトが、垂直に貫通されてナットで固定される。３列の各スリットには、外側からフレーム３a・３ｆ、フレーム３ｂ・３ｅ、フレーム３ｃ・３ｄの組み合わせで配置される。尚、図７（ｃ）・図６に示すように、フレーム３ａ・３ｂ・３ｃは回転軸５ａを両端部根元の脇に張り出した部分に軸止している。
【００３３】
回転軸５a，５ｂは、図７（ａ）（ｂ）（ｃ）に示すように水平方向及び上下方向にそれぞれ所定間隔開けて配置される。フレーム３ａ・３ｂ・３ｃが回転軸５ａを支点として一組、フレーム３ｄ・３ｅ・３ｆが回転軸５ｂを支点として一組として構成され、それぞれ図７（ｂ）のように回動・展開される。
【００３４】
図７（ｃ）は、フレーム３aと３ｆだけを取り出して、固定部４のスリット内での回動・展開状態を説明する説明図である。フレーム３aが軸支されている回転軸５ａは、フレーム３ｆが軸支されている回転軸５ｂよりも上方位置に設けられ、更に所定間隔開けて配置されていることから、展開時に、フレーム３aが点線表示の３a、フレーム３ｆが点線表示の３ｆに展開出来る。また、収納時に、フレーム３aが実線表示の３a、フレーム３ｆが実線表示の３ｆに、２段に平行に重ねて収納出来る。これはフレーム３ｂと３ｅ、フレーム３ｃと３ｄも同様の組み合わせとして、図７（ｃ）の展開を可能とし、図６のような２段収納状態となる。フレーム３ａは点線表示の３ａの位置まで展開されるため、バケット３１の開口部周縁上部に、ほぼ隙間がない状態になる。
【００３５】
図８はフレーム３b〜３fに備えた伸縮機構４１を示した説明図である。上下に分割構成されたパイプ状のフレーム３ｂ〜３ｆを伸ばした時に固定させる為、上側のパイプの中にロック部４２にピアノ線等を曲げたスプリング４３を取り付け、フレーム３ｂ〜３ｆを最大に伸ばした時にロック部４２によりロックされるよう構成している。縮める場合はロック部４２の先端を押しながら骨部の上側を下方向に押すことにより骨部の下側にスライド収納される。
【００３６】
フレーム３a〜３ｆは、グラスファイバーやアルミ等の丸パイプ、丸棒で形成される。尚、角パイプ、角棒でも製作可能である。伸縮機構４１は、２段のみならず、３段以上にも応用可能であり収納時のコンパクト化と高さ調節を更に可能とする。
【００３７】
このようなフレーム３ｂ〜３ｆの、伸縮機構４１、サイズの組み合わせ及び固定部４での回転軸５a，５ｂを支点とする組み合わせにより、フレーム３a〜３ｆを収納ケース２内に２段３列にコンパクトに収納することができる。なお、フレームの本数やサイズの組み合わせは、上記実施形態のフレーム６本で収納ケース２内に２段３列に収納することには限定されるものではない。但し、フレームの本数は４〜８本で、収納ケース内に２〜３段に収納するのが望ましい。
【００３８】
膜体１１は、図２（ａ）に示す扇状に展開し設置完了状態のフレーム３a〜３f及び収納ケース２に、被せた状態で支持固定されて使用される。この膜体１１は、ナイロンシートなどで形成される。膜体１１は、収納ケース２及びフレーム３ａ〜３ｆの左右の垂直部分、水平部分の複数箇所に脱着自在なテープやリングホックを使用して予め固定される。したがって、収納ケース２からフレーム３aを引き出すと、膜体１１で支持固定されているため、フレーム３b〜３ｆが順次引き起こされる。更に、引き起こし後、フレーム３b〜３ｆの左右垂直部に設けられる伸縮機構４１の上部側を上方に伸ばすと、伸縮機構４１のロック部４２でロックされ、図２（ｂ）に示すようなテント本体の設置完了状態となり、フレーム３ａ〜３ｆと膜体１１により、バケット３１及び操作部３２の上方を覆うほぼ密閉した作業空間が形成される。
【００３９】
フレーム３b〜３ｆの垂直部分の伸縮機構を縮めた状態では約６０ｃｍ、伸縮機構を伸ばした状態では約１００ｃｍであるため、設置完了状態の作業空間内部はバケット３１内部の高さとあわせて、１９０ｃｍを超えるため、身長の高い作業者でも余裕をもって作業できるスペースを確保できる。
【００４０】
設置完了状態で、膜体側面の作業を行う前面側１２a及び乗り降りを行う後面側１２bは、透明ビニールのシートを使用して視界及び採光を確保している。側面側１２c，１２ｄ、上面側１２ｅは、乳白色系の薄手のビニール素材のシートを使用しているので、テント内部が明るく且つ嵩張らない為収納ケース２内に収納し易くなっている。
【００４１】
図９に膜体１１の前後面シートの詳細を示す。図９（ａ）が実際に作業する側の前面側１２aを示しており、シートの左右及び下面にファスナー１３が付いており、シートの開け閉めを可能にする為のファスナースライダー１４及び１５が付いている。テント内で作業をする為の架空線等１６をバケット３１内部に取り込む為には、ファスナー１３をフルオープンにして架空線等１６に被せ、ファスナースライダー１４にてファスナー１３を閉じる。ファスナースライダー１５は上下の任意の位置に移動可能な為、架空線等１６の位置に応じて高さ調節に使用する。これにより架空線等１６をバケット３１内部に引き込んだ状態でファスナー１３を閉じることが可能となる。
【００４２】
図９（ｂ）は乗り降りを行う後面側１２ｂを示しており、操作部３２側にあたり、前面側１２aと同様にシートの左右及び下面にファスナー１３及びファスナースライダー１４が付いている。シートを開閉することにより、テント本体を設置した状態でもバケット３１内への乗り降りを可能としている。
【００４３】
作業終了後の格納は、フレーム３ｂ〜３ｆの左右の伸縮機構４１のロック部４２の先端を押しながら各骨部を縮め、膜体１１と共に収納ケース２へフレーム３f〜３aの順番に順次収めていき、蓋２a，２ｂ及び２cで蓋をして収納完了となる。
【図面の簡単な説明】
【００４４】
【図１】本発明の使用時の全体図及び高所作業車への設置状態を示す説明図。
【図２】設置完了状態でのフレームの骨組み状態及び膜体の装着状態を示した説明図。
【図３】収納ケースへの収納状態を示した説明図。
【図４】収納ケースのバケットへの取り付け状態を示した説明図。
【図５】図４を側面から見た収納ケースのバケットへの取り付け状態を示した説明図。
【図６】収納ケースのバケットへの取り付け状態を示した一部断面説明図。
【図７】固定部におけるフレームの回動機構を示した説明図。
【図８】フレームの伸縮機構を示した説明図。
【図９】膜体側面の前面側及び後面側のファスナーの配置状態を示した説明図。
【符号の説明】
【００４５】
１    テント装置
２    収納ケース
２ａ〜２ｃ  蓋
３ａ〜３ｆフレーム
４    固定部
５ａ，５ｂ  回転軸
６    固定フック
７    ロック部
８    ロックレバー
１１  膜体
１２ａ前面シート
１２ｂ後面シート
１２ｃ左側面シート
１２ｄ右側面シート
１２ｅ上面シート
１３    ファスナー
１４，１５  ファスナースライダー
１６    架空線等
３１    バケット  
３２    操作部
３３    高所作業車のアーム
４１    伸縮機構
４２    ロック部
４３    スプリング
【図１】
2008239261.tif 000003
【図２】
2008239261.tif 000004
【図３】
2008239261.tif 000005
【図４】
2008239261.tif 000006
【図５】
2008239261.tif 000007
【図６】
2008239261.tif 000008
【図７】
2008239261.tif 000009
【図８】
2008239261.tif 000010
【図９】
2008239261.tif 000011
【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
高所作業車の荷台に設置されている、起伏・旋回可能なブームの先端に設けられたバケットの上方を覆い、作業空間を形成する高所作業車用バケットのテント装置において、
前記バケットの開口部周縁上部の片側約半分に設置されるコ字状の収納ケースと、
左右の垂直部分の骨部に伸縮機構を有し、未使用時に前記左右の垂直部分の骨部を前記伸縮機構により縮めた状態で前記収納ケース内に収納され、使用時に前記収納ケースから引き出して扇状に展開し、前記左右の垂直部分の骨部を前記伸縮機構により伸ばすことで設置完了状態の骨組み状態が形成される複数のコ字状のフレームと、
前記複数のコ字状のフレームと予め支持固定され、未使用時に折り畳まれた状態で前記複数のコ字状のフレームと共に前記収納ケース内に収納され、使用時に前記複数のコ字状のフレームと共に前記収納ケースから引き出され、設置完了状態で前記複数のコ字状のフレームに支持されて前記バケットの上方を覆いほぼ密閉した作業空間を形成する膜体と、
を備えたことを特徴とする高所作業車用バケットのテント装置。
【請求項２】
前記収納ケースは、底部に、前記バケット周縁上部に固定する固定部材を備え、該固定部材により前記収納ケースを前記バケットの開口部周縁上部に設置することを特徴とする請求項１記載の高所作業車用バケットのテント装置。
【請求項３】
前記設置完了状態で、前記膜体側面の作業を行う前面側及び乗り降りを行う後面側は、左右及び下側に取り付けたファスナーにより開閉可能であることを特徴とする請求項１記載の高所作業車用バケットのテント装置。
【請求項４】
前記膜体側面の前面側及び後面側は、透明な材料で形成されたことを特徴とする請求項３記載の高所作業車用バケットのテント装置。
【請求項５】
前記コ字状の収納ケースの両端部に、前記収納ケース内に収納される前記複数のコ字状のフレームの左右垂直部分の両端部を回動自在に軸支する回転軸を有する一対の固定部を設け、前記膜体が支持固定された前記複数のコ字状のフレームを、前記一対の固定部が有する回転軸を支点にして、前記収納ケースから引き出し展開することを特徴とする請求項１記載の高所作業車用バケットのテント装置。
【請求項６】
前記複数のコ字状のフレームを、前記伸縮機構を縮めた状態で垂直部分及び水平部分の骨部のサイズの異なる複数組に分け、大きいサイズの組のフレームを前記収納ケース内の外側に重ねて配置し、前記大きいサイズより小さいサイズの組のフレームを前記大きいサイズのフレームより内側に重ねて配置し、前記一対の固定部が有する前記回転軸は、水平方向及び上下方向にそれぞれ所定間隔空けて配置される２つの回転軸を設け、下側の回転軸は、下側に配置される前記複数のフレームの左右垂直部分の両端部を回動自在に軸支し、前記下側の回転軸より端部側に設けられる上側の回転軸は、上側に配置される前記複数のフレームの左右垂直部分の両端部を回動自在に軸支することを特徴とする前記請求項５記載の高所作業車用バケットのテント装置。
【請求項７】
前記上側の回転軸は、前記上側に配置される前記複数のフレームの左右垂直部分の両端部の根元の脇に張り出した部分を軸支することを特徴とする請求項６記載の高所作業車用バケットのテント装置。
【手続補正２】
【補正対象書類名】明細書
【補正対象項目名】全文
【補正方法】変更
【補正の内容】
【発明の詳細な説明】
【技術分野】
【０００１】
本発明は、高所作業車におけるバケットの上方を覆い、ほぼ密閉した作業空間を形成するようにした高所作業車用バケットのテント装置に関する。           
【背景技術】
【０００２】
一般に、光ケーブル、メタルケーブル等の架空線を電柱間に架設したり補修する等の高所作業に使用される高所作業車には、昇降、旋回自在なブームの先端部に作業員が搭乗出来るバケットが設置されている。
【０００３】
上記のような高所作業車のバケット内に作業者が搭乗し、バケットを架空線に近接する位置で精密機器等を使用することにより、架空線の架設、補修等の高所作業を行うことが出来るものである。
【０００４】
ところで、上記のような構成のバケットでの高所作業では、バケット上部に屋根等が存在しない為、雨天時には作業者はレインウエア着用の上、精密機器使用時にはビニールシートを被っての作業を強いられ、非常に作業性が悪いものであると共に精密機器等を濡らさないように注意する必要があった。
【０００５】
このような問題を解決する為、バケット上方に設置して作業空間を形成する各種テント装置に関する技術が公開されている（例えば、特許文献１，２参照）
【特許文献１】特開２００１−３１３８０号公報
【特許文献２】特開２００５−３４３６６３号公報
【発明の開示】
【発明が解決しようとする課題】
【０００６】
しかしながら、このような従来のテント装置は、取り付けを必要とするバケットに大掛かりな事前加工を必要とし、さらに使用しない時には大きな格納スペースを必要としたが、バケット内部は狭いため格納は不可能であり、作業車側にも適当な格納スペースは存在しない。したがって、テント装置を購入しても車両に準備しないまま現場に行き、突然の雨等に対して対応が出来ず、テント装置が活かせない場面が多々あった。また、テント装置の構造が複雑で設置作業が煩雑であるため即座に使用できず設置に時間が掛かった。これは不意の雨に対して効率を悪くする要因であり、作業員にとって設置は煩わしい作業で、実際に使用するには現実的ではなかった。
【０００７】
以上のような従来の技術では、設置に手間取り作業効率が悪くなるのは勿論、作業員が雨等に濡れて風邪をひいたり、高額な精密機器等が濡れて使用出来なくなったりするため改善が必要であった。
【０００８】
本発明は、このような問題を解決しようとするものであり、未使用時に作業の邪魔にならないように小型化してバケットに常設設置を可能にすると共に使用時に迅速且つ容易にバケットの上方に密閉した作業空間を形成できる高所作業車用バケットのテント装置を提供することを目的とする。
【課題を解決するための手段】
【０００９】
本発明は、上記のような課題を解決する為に、以下のような手段を採用している。
請求項１に係る発明は、高所作業車の荷台に設置されている、起伏・旋回可能なブームの先端に設けられたバケットの上方を覆い、作業空間を形成する高所作業車用バケットのテント装置において、前記バケットの開口部周縁上部の片側約半分に設置されるコ字状の収納ケースと、左右の垂直部分の骨部に伸縮機構を有し、未使用時に左右の垂直部分の骨部を伸縮機構により縮めた状態で前記収納ケース内に収納され、使用時に前記収納ケースから引き出して扇状に展開し、左右の垂直部分の骨部を前記伸縮機構により伸ばすことで設置完了状態の骨組み状態が形成される複数のコ字状のフレームと、前記複数のコ字状のフレームと予め支持固定され、未使用時に折り畳まれた状態で前記複数のコ字状のフレームと共に収納ケース内に収納され、使用時に前記複数のコ字状のフレームと共に前記収納ケースから引き出され、設置完了状態で前記複数のコ字状のフレームに支持されて前記バケットの上方を覆いほぼ密閉した作業空間を形成する膜体と、を備えたことを特徴とする。
【００１０】
請求項２に係る発明は、請求項1に記載の高所作業車用バケットのテント装置において、収納ケースは、底部に、前記バケット周縁上部に固定する固定部材を備え、該固定部材により前記収納ケースを前記バケットの開口部周縁上部に設置することを特徴とする。
【００１１】
請求項３に係る発明は、請求項１に記載の高所作業車用バケットのテント装置において、前記設置完了状態で、前記膜体側面の作業を行う前面側及び乗り降りを行う後面側は、左右及び下側に取り付けたファスナーにより開閉可能であることを特徴とする。
【００１２】
請求項４に係る発明は、請求項３に記載の高所作業車用バケットのテント装置において、前記膜体側面の前面側及び後面側は、透明な材料で形成されたことを特徴とする。
【００１３】
請求項５に係る発明は、請求項１に記載の高所作業車用バケットのテント装置において、コ字状の収納ケースの垂直部分の両端部に、収納ケース内に収納される複数のコ字状のフレームの左右垂直部分の両端部を回動自在に軸支する回転軸を有する一対の固定部を設け、膜体が支持固定された複数のコ字状のフレームを、一対の固定部が有する回転軸を支点にして、収納ケースから引き出し展開することを特徴とする。
【００１４】
請求項６に係る発明は、請求項５に記載の高所作業車用バケットのテント装置において、複数のコ字状のフレームを、伸縮機構を縮めた状態で垂直部分及び水平部分の骨部のサイズの異なる複数組に分け、大きいサイズの組のフレームを収納ケース内の外側に重ねて配置し、大きいサイズより小さいサイズの組のフレームを大きいサイズのフレームより内側に重ねて配置し、一対の固定部が有する回転軸は、水平方向及び上下方向にそれぞれ所定間隔空けて配置される２つの回転軸を設け、下側の回転軸は、下側に配置される複数のフレームの左右垂直部分の両端部を回動自在に軸支し、下側の回転軸より端部側に設けられる上側の回転軸は、上側に配置される複数のフレームの左右垂直部分の両端部を回動自在に軸支することを特徴とする。
【００１５】
請求項７に係る発明は、請求項６に記載の高所作業車用バケットのテント装置において、上側の回転軸は、上側に配置される複数のフレームの左右垂直部分の両端部の根元の脇に張り出した部分を軸支することを特徴とする。
【発明の効果】
【００１６】
以上、説明したように、本発明のテント装置によれば、バケットの開口部周縁上部の片側約半分に設置されるコ字状の収納ケースにテント本体を収納したことにより、作業者の作業の邪魔にならないようにしてバケットへの常設設置を可能にした。バケットへ常備したまま現場に移動可能なため、日々の車両への積み込み等の手間が無くなると共に積み忘れも防ぐことが出来る。
【００１７】
また使用時には、収納ケースから膜体が予め支持固定されているフレームの一つを引き起こすことで順次フレームが扇状に展開し、フレームの垂直部分を伸縮機構により伸ばすことだけでテントが設置完了となり、迅速且つ容易にバケットの上方に密閉した作業空間を形成できる。これによりフレームを展開後に膜体を被せる作業が不要である。バケットに乗り込んだ状態で骨部に膜体を被せるのは難しいため、この方式が特に有効である。また、格納時は、展開時の逆の操作で迅速且つ容易にテント本体を収納ケース内に収納できる。また、フレームに伸縮機構を設けたことで、身長の高い作業者でも余裕をもって作業できるスペースを確保できる。
【００１８】
テント装置をバケットの開口部周縁上部にワンタッチで固定設置可能としたことで、バケットに特別な加工の必要性が無く、また同寸法の他のバケットにも移設が簡単に可能である。
【００１９】
膜体の前後面側のシートはファスナーで開閉可能にしているため、ケーブル等のテント装置内部への取り込みや換気が可能であり、テント本体を設置した状態でもバケットへの乗り降りが容易である。膜体の前後面を透明シートで形成したことで、視界及び採光が確保されるため、作業に支障をきたさないと共に安全に作業が出来る。又、前後面シートを開放することにより、炎天時の日除け使用としても効果が期待出来る。本発明のテント装置は雨を防ぐ場合のみならず、雪や多少の風を防ぐ目的としても使用可能である。更に暖房も使用可能であり、気温の低い日の作業効率アップも期待できる。                                          
【００２０】
複数のフレームの伸縮機構、サイズの組み合わせ及び収納ケースの固定部での２つの回転軸を支点とする組み合わせにより、複数のフレームを収納ケース内に２段に平行に重ねてコンパクトに収納することができ、結果、収納ケースを小型化してバケットの開口部周縁上部の片側約半分に作業の邪魔にならないように常設できる。また、上側の回転軸で、上側に配置される複数のフレームの左右垂直部分の両端部の根元の脇に張り出した部分を軸支することで、フレームを展開しテント本体を設置した状態において、バケットの開口部と膜体との隙間を殆どなくすことができ、密閉した作業空間が形成できる。
【発明を実施するための最良の形態】
【００２１】
以下、本発明の実施の形態を、図１〜図９を参照して説明する。
【００２２】
図１は本発明の使用時の全体図及び高所作業車への設置状態を示す説明図、図２は設置完了状態でのフレームの骨組み状態及び膜体の装着状態を示した説明図、図３は収納ケースへの収納状態を示した説明図、図４は収納ケースのバケットへの取り付け状態を示した説明図、図５は側面から見た収納ケースのバケットへの取り付け状態を示した説明図、図６は収納ケースのバケットへの取り付け状態を示した一部断面説明図、図７は固定部におけるフレームの回動機構を示した説明図、図８はフレームの伸縮機構を示した説明図、図９は膜体側面の前面側及び後面側のファスナーの配置状態を示した説明図である。
【００２３】
図１（ｂ）に示すように、本発明によるテント装置１は高所作業車に昇降、旋回自在に設置されるアーム３３の先端部のバケット３１の上部に設置され、アームと一体に昇降、旋回可能なものであって、電柱間への光ケーブル、メタルケーブル等の架空線の架設、補修等の高所作業に使用されるものである。
【００２４】
図１（ａ）に示すように、テント装置１はバケット３１及び操作部３２の上部を覆うように設置される。操作部３２の反対側はバケット３１の周縁上部より外側に約３０cm張り出すようになっており、張り出した部分に着脱可能な作業用テーブルを設置して使用する。これにより、バケット３１と操作部３２に加えて作業テーブル上方空間部分もカバーされるので、風雨等を防いで作業をすることが出来る。
【００２５】
本発明のテント装置１は、図２（ａ）（ｂ）に示すように、複数のコ字状のフレーム３a〜３fと、設置完了状態でフレーム全体を覆う膜体１１で構成されるテント本体と、このテント本体を折り畳んで収納する収納ケース２とから構成される構造となっている。
【００２６】
図３（ａ）（ｂ）に示すように、収納ケース２は、樹脂製でコ字状を形成しており、上部には蓋２ａ，２ｂ，２cが設けられている。収納ケース２は、例えば奥行Ａ約７０ｃｍ、幅Ｂ約１１０ｃｍ、縦Ｃ・横Ｄ約８ｃｍ程度のサイズである。このコ字状の収納ケース２は、バケット３１の開口部周縁上部の片側約半分＋操作部３２の奥行に相当するサイズである。この収納ケース２内には、複数のコ字状のフレーム３a〜３fと、設置完了状態でフレーム全体を覆う膜体１１と、で構成されるテント本体が折り畳んで収納されている。
【００２７】
図３〜図５に示すように、収納ケース２の底部には、バケット３１の開口部周縁上部への取り付け用の固定部材を構成する固定フック６及びロック部７が設けられており、この固定フック６及びロック部７により、バケット３１の最上部の縁に設置固定させる。
【００２８】
具体的には図５〜図６に示すように、先ず収納ケース２をバケット３１の最上部の縁に載置し、スライドさせて固定フック６をバケット３１の縁に引っ掛け、その状態で固定ロック部７に備えてあるレバー８を９０°回転させて、バケット３１の縁に引っ掛けることで、収納ケース２のバケット３１の開口部周縁上部への設置固定が完了する。
【００２９】
このコ字状の収納ケース２は、バケット３１の開口部周縁の片側約半分のフランジ上部に設置固定される。また図６に示すように、収納ケース２のバケット３１への設置固定状態において、収納ケース２の内側は、バケット３１の開口部内側とほぼ面一になるよう構成してあることから、バケット３１内に収納ケースがはみ出すことがない。このような小型化した収納ケースの構成により、作業者の作業の邪魔にならないようにしてバケット３１への常設設置を可能にする。
【００３０】
次に、テント装置１のテント本体を構成する、複数のコ字状のフレーム３a〜３ｆと、設置完了状態でフレーム全体を覆う膜体１１について説明する。
【００３１】
説明を簡単にするため膜体１１を取り除いた、設置完了状態でのフレームの骨組み状態を示した説明図である図２（ａ）に示したように、複数のコ字状のフレーム３a〜３ｆの内、フレーム３ａ以外のフレーム３ｂ〜３ｆは左右の垂直部分の骨部に伸縮機構４１を有しており、伸縮機構４１により縮めた状態で、複数のコ字状のフレーム３a〜３ｆは、コ字状の収納ケース２内部に収納されるサイズに形成されている。
【００３２】
複数のコ字状のフレーム３ｂ〜３ｆは全て、伸縮機構４１により縮めた状態でフレーム３ａと共にコ字状の収納ケース２内部に収納されるサイズに形成されているが、その垂直部分及び水平部分の骨部のサイズは若干異なり、伸縮機構４１により縮めた状態で、フレーム３a・３ｆ、フレーム３ｂ・３ｅ、フレーム３ｃ・３ｄは同じサイズで、更にフレーム３a・３ｆ＞フレーム３ｂ・３ｅ＞フレーム３ｃ・３ｄのサイズになるように、垂直部分及び水平部分の骨部のサイズが形成されている。更に具体的には、複数のコ字状のフレーム３a〜３ｆを、伸縮機構４１により縮めた状態でコ字状の収納ケース２内部に、図３（ｂ）に示すようにコンパクトに収納できるようにするため、各コ字状のフレーム３a〜３ｆの垂直部分及び水平部分の骨部のサイズは、フレーム３a・３ｆの内側に、フレーム３ｂ・３ｅが入るように形成され、更にフレーム３ｂ・３ｅの内側に、フレーム３ｃ・３ｄが入るように形成されている。
【００３３】
複数のコ字状のフレーム３ｂ〜３ｆは、未使用時に、図３（ｂ）に示すように、左右の垂直部分の骨部に備えた伸縮機構４１により縮めた状態でフレーム３ａと共に収納ケース２内に収納され、使用時に、図２（ａ）に示すように、収納ケース２から引き出して扇状になるよう約１８０°に展開し、フレーム３ｂ〜３ｆの伸縮機構４１により左右垂直部分の骨部を引き伸ばすことで設置完了状態の骨組み状態が形成される。
【００３４】
次に、複数のコ字状のフレーム３a〜３ｆの左右垂直部分の両端部付け根部分の回動機構について説明する。
【００３５】
複数のコ字状のフレーム３a〜３ｆの左右垂直部分の両端部は、図２（ａ）に示すように、収納ケース２の両端部に設けられる固定部４に回動自在に軸支されており、したがって、フレーム３a〜３ｆは、固定部４を支点に回動し展開される。  
【００３６】
図７（ａ）の斜視図に示すように、固定部４には、３列のスリットが設けられ、各スリット内には、２個１組のフレームが配置される。この３列のスリットに対し、配置されたフレームの左右垂直部分の両端部の根元付近を、固定し回動自在に軸支する回転軸５a，５bを構成するボルトが、垂直に貫通されてナットで固定される。３列の各スリットには、外側からフレーム３a・３ｆ、フレーム３ｂ・３ｅ、フレーム３ｃ・３ｄの組み合わせで配置される。尚、図７（ｃ）・図６に示すように、フレーム３ａ・３ｂ・３ｃは回転軸５ａを両端部根元の脇に張り出した部分に軸支している。
【００３７】
回転軸５a，５ｂは、図７（ａ）（ｂ）（ｃ）に示すように水平方向及び上下方向にそれぞれ所定間隔開けて配置される。フレーム３ａ・３ｂ・３ｃが回転軸５ａを支点として一組、フレーム３ｄ・３ｅ・３ｆが回転軸５ｂを支点として一組として構成され、それぞれ図７（ｂ）のように回動・展開される。
【００３８】
図７（ｃ）は、フレーム３aと３ｆだけを取り出して、固定部４のスリット内での回動・展開状態を説明する説明図である。フレーム３aが軸支されている回転軸５ａは、フレーム３ｆが軸支されている回転軸５ｂよりも上方位置に設けられ、更に所定間隔開けて配置されていることから、展開時に、フレーム３aが点線表示の３a、フレーム３ｆが点線表示の３ｆに展開出来る。また、収納時に、フレーム３aが実線表示の３a、フレーム３ｆが実線表示の３ｆに、２段に平行に重ねて収納出来る。これはフレーム３ｂと３ｅ、フレーム３ｃと３ｄも同様の組み合わせとして、図７（ｃ）の展開を可能とし、図６のような２段収納状態となる。フレーム３ａは点線表示の３ａの位置まで展開されるため、バケット３１の開口部周縁上部に、ほぼ隙間がない状態になる。
【００３９】
図８はフレーム３b〜３fに備えた伸縮機構４１を示した説明図である。上下に分割構成されたパイプ状のフレーム３ｂ〜３ｆを伸ばした時に固定させる為、上側のパイプの中にロック部４２にピアノ線等を曲げたスプリング４３を取り付け、フレーム３ｂ〜３ｆを最大に伸ばした時にロック部４２によりロックされるよう構成している。縮める場合はロック部４２の先端を押しながら骨部の上側を下方向に押すことにより骨部の下側にスライド収納される。
【００４０】
フレーム３a〜３ｆは、グラスファイバーやアルミ等の丸パイプ、丸棒で形成される。尚、角パイプ、角棒でも製作可能である。伸縮機構４１は、２段のみならず、３段以上にも応用可能であり収納時のコンパクト化と高さ調節を更に可能とする。
【００４１】
このようなフレーム３ｂ〜３ｆの、伸縮機構４１、サイズの組み合わせ及び固定部４での回転軸５a，５ｂを支点とする組み合わせにより、フレーム３a〜３ｆを収納ケース２内に２段３列にコンパクトに収納することができる。なお、フレームの本数やサイズの組み合わせは、上記実施形態のフレーム６本で収納ケース２内に２段３列に収納することには限定されるものではない。但し、フレームの本数は４〜８本で、収納ケース内に２〜３段に収納するのが望ましい。
【００４２】
膜体１１は、図２（ａ）に示す扇状に展開し設置完了状態のフレーム３a〜３f及び収納ケース２に、被せた状態で支持固定されて使用される。この膜体１１は、ナイロンシートなどで形成される。膜体１１は、収納ケース２及びフレーム３ａ〜３ｆの左右の垂直部分、水平部分の複数箇所にマジックテープ(登録商標)やリングホックを使用して予め固定される。したがって、収納ケース２からフレーム３aを引き出すと、膜体１１で支持固定されているため、フレーム３b〜３ｆが順次引き起こされる。更に、引き起こし後、フレーム３b〜３ｆの左右垂直部に設けられる伸縮機構４１の上部側を上方に伸ばすと、伸縮機構４１のロック部４２でロックされ、図２（ｂ）に示すようなテント本体の設置完了状態となり、フレーム３ａ〜３ｆと膜体１１により、バケット３１及び操作部３２の上方を覆うほぼ密閉した作業空間が形成される。
【００４３】
フレーム３b〜３ｆの垂直部分の伸縮機構を縮めた状態では約６０ｃｍ、伸縮機構を伸ばした状態では約１００ｃｍであるため、設置完了状態の作業空間内部はバケット３１内部の高さとあわせて、１９０ｃｍを超えるため、身長の高い作業者でも余裕をもって作業できるスペースを確保できる。
【００４４】
設置完了状態で、膜体側面の作業を行う前面側１２a及び乗り降りを行う後面側１２bは、透明ビニールのシートを使用して視界及び採光を確保している。側面側１２c，１２ｄ、上面側１２ｅは、乳白色系の薄手のビニール素材のシートを使用しているので、テント内部が明るく且つ嵩張らない為収納ケース２内に収納し易くなっている。
【００４５】
図９に膜体１１の前後面シートの詳細を示す。図９（ａ）が実際に作業する側の前面側１２aを示しており、シートの左右及び下面にファスナー１３が付いており、シートの開け閉めを可能にする為のファスナースライダー１４及び１５が付いている。テント内で作業をする為の架空線等１６をバケット３１内部に取り込む為には、ファスナー１３をフルオープンにして架空線等１６に被せ、ファスナースライダー１４にてファスナー１３を閉じる。ファスナースライダー１５は上下の任意の位置に移動可能な為、架空線等１６の位置に応じて高さ調節に使用する。これにより架空線等１６をバケット３１内部に引き込んだ状態でファスナー１３を閉じることが可能となる。
【００４６】
図９（ｂ）は乗り降りを行う後面側１２ｂを示しており、操作部３２側に、前面側１２aと同様にシートの左右及び下面にファスナー１３及びファスナースライダー１４が付いている。シートを開閉することにより、テント本体を設置した状態でもバケット３１内への乗り降りを可能としている。
【００４７】
作業終了後の格納は、フレーム３ｂ〜３ｆの左右の伸縮機構４１のロック部４２の先端を押しながら各骨部を縮め、膜体１１と共に収納ケース２へフレーム３f〜３aの順番に順次収めていき、蓋２a，２ｂ及び２cで蓋をして収納完了となる。
【図面の簡単な説明】
【００４８】
【図１】本発明の使用時の全体図及び高所作業車への設置状態を示す説明図。
【図２】設置完了状態でのフレームの骨組み状態及び膜体の装着状態を示した説明図。
【図３】収納ケースへの収納状態を示した説明図。
【図４】収納ケースのバケットへの取り付け状態を示した説明図。
【図５】図４を側面から見た収納ケースのバケットへの取り付け状態を示した説明図。
【図６】収納ケースのバケットへの取り付け状態を示した一部断面説明図。
【図７】固定部におけるフレームの回動機構を示した説明図。
【図８】フレームの伸縮機構を示した説明図。
【図９】膜体側面の前面側及び後面側のファスナーの配置状態を示した説明図。
【符号の説明】
【００４９】
１     テント装置
２     収納ケース
２ａ〜２ｃ  蓋
３ａ〜３ｆ  フレーム
４     固定部
５ａ，５ｂ  回転軸
６     固定フック 
７     ロック部 
８     ロックレバー 
１１   膜体 
１２ａ 前面シート
１２ｂ 後面シート
１２ｃ 左側面シート
１２ｄ 右側面シート
１２ｅ 上面シート  
１３   ファスナー
１４，１５  ファスナースライダー
１６   架空線等
３１   バケット  
３２   操作部
３３   高所作業車のアーム
４１   伸縮機構
４２   ロック部
４３   スプリング
【手続補正３】
【補正対象書類名】図面
【補正対象項目名】図６
【補正方法】変更
【補正の内容】
【図６】
2008239261.tif 000012